(57)【要約】【課題】より柔軟かつ確実にプロジェクターに接続することが可能な端末装置等を提供すること。【解決手段】端末装置であるＰＣ２００が、少なくとも１つの接続設定の内容と、当該接続設定の優先順位とを示す接続設定データ２５２を記憶する端末側記憶部２５０と、接続設定データ２５２の全部または一部を情報記憶媒体に書き込むインターフェイス部２１０と、接続設定データ２５２の全部または一部が前記情報記憶媒体から前記プロジェクターに読み取られることによって前記プロジェクターと通信可能になった状態で、前記プロジェクターへ向け情報を送信する端末側通信部２２０を含んで構成される。【選択図】図４
2010108229.tif 000002
【特許請求の範囲】
【請求項１】
少なくとも１つの接続設定の内容と、当該接続設定の優先順位とを示す接続設定データを記憶する端末側記憶部と、
前記接続設定データの全部または一部を情報記憶媒体に書き込む書込部と、
前記接続設定データの全部または一部が前記情報記憶媒体から前記プロジェクターに読み取られることによって前記プロジェクターと通信可能になった状態で、前記プロジェクターへ向け情報を送信する端末側通信部と、
を含む、
端末装置。
【請求項２】
請求項１に記載の端末装置において、
前記優先順位を示す優先順位情報を入力する入力部と、
前記優先順位情報に基づき、前記接続設定データにおける前記優先順位を更新する更新部と、
を含む、
端末装置。
【請求項３】
請求項２に記載の端末装置において、
前記接続設定データに基づき、前記接続設定データにおける接続設定ごとの優先順位を示す画像を表示する表示部を含む、
端末装置。
【請求項４】
請求項１〜３のいずれかに記載の端末装置において、
前記端末側通信部は、前記プロジェクターから接続可能なことを示す通知情報を受信した場合に、前記プロジェクターとの接続を確立する、
端末措置。
【請求項５】
少なくとも１つの接続設定の内容と、当該接続設定の優先順位とを示す接続設定データが記憶された情報記憶媒体から前記接続設定データを読み取る読み取り部と、
投写側通信部と、
前記接続設定データに基づき、前記優先順位に応じた順序で前記投写側通信部に前記端末装置または前記端末装置の属するネットワークのアクセスポイントに対する接続処理を実行させる制御部と、
を含む、
プロジェクター。
【請求項６】
請求項５に記載のプロジェクターにおいて、
前記制御部は、接続可能なことを示す通知情報を前記投写側通信部に前記端末装置へ向け送信させる、
プロジェクター。
【請求項７】
請求項１〜４のいずれかに記載の端末装置と、
請求項５、６のいずれかに記載のプロジェクターと、
を含む、
投写システム。
【請求項８】
少なくとも１つの接続設定の内容と、当該接続設定の優先順位とを示す接続設定データが記憶される媒体側記憶部と、
端末装置に記憶された前記接続設定データを前記媒体側記憶部に書き込むとともに、プロジェクターに前記接続設定データを読み出すインターフェイス部と、
を含む、
情報記憶媒体。
【請求項９】
端末装置がプロジェクターに接続するための接続設定方法において、
前記端末装置は、少なくとも１つの接続設定の内容と、当該接続設定の優先順位とを示す接続設定データの全部または一部を情報記憶媒体に書き込むステップを実行し、
前記プロジェクターは、
前記情報記憶媒体に記憶された前記接続設定データの全部または一部を読み取るステップと、
前記優先順位に応じた順序で前記端末装置または前記端末装置の属するネットワークのアクセスポイントに接続するステップと、
接続可能なことを示す通知情報を前記端末装置へ向け送信するステップと、
を実行し、
前記端末装置は、前記通知情報に基づき、前記プロジェクターとの接続を確立するステップを実行する、
接続設定方法。
【発明の詳細な説明】
【技術分野】
【０００１】
本発明は、端末装置、プロジェクター、投写システム、情報記憶媒体および接続設定方法に関する。
【背景技術】
【０００２】
プロジェクターに端末装置を無線接続する際の通信設定を行う手法として、特開２００５−２８５０９１号公報では、プロジェクターにおける設定情報をＵＳＢメモリーに格納しておき、当該ＵＳＢメモリーをＰＣ(Personal Computer)に接続して通信設定を行う手法が記載されている。
【特許文献１】特開２００５−２８５０９１号公報
【発明の開示】
【発明が解決しようとする課題】
【０００３】
しかし、当該手法は、アクセスポイントを用いないアドホックモード、アクセスポイントを用いるインフラストラクチャモード、有線ＬＡＮモードのいずれかの設定を設定情報としてＵＳＢメモリーに格納する手法である。このため、当該手法では、接続形態が固定されてしまい、実際に適用される通信形態に応じて柔軟に接続設定を変更することは困難である。
【０００４】
例えば、プロジェクターが会議室等で用いられる場合、プロジェクターとＰＣをアドホックモードで無線接続する場合もあれば、プロジェクターと複数のＰＣをアクセスポイント経由で無線接続する場合もある。このような場合、上記公報の手法では接続設定を行う手順は複雑になり、接続設定を行う時間もかかってしまう。
【０００５】
本発明の目的は、より柔軟かつ確実にプロジェクターに接続することが可能な端末装置、プロジェクター、投写システム、情報記憶媒体および接続設定方法を提供することにある。
【課題を解決するための手段】
【０００６】
上記課題を解決するため、本発明に係る端末装置は、少なくとも１つの接続設定の内容と、当該接続設定の優先順位とを示す接続設定データを記憶する端末側記憶部と、前記接続設定データの全部または一部を情報記憶媒体に書き込む書込部と、前記接続設定データの全部または一部が前記情報記憶媒体から前記プロジェクターに読み取られることによって前記プロジェクターと通信可能になった状態で、前記プロジェクターへ向け情報を送信する端末側通信部と、を含むことを特徴とする。
【０００７】
また、本発明に係るプロジェクターは、少なくとも１つの接続設定の内容と、当該接続設定の優先順位とを示す接続設定データが記憶された情報記憶媒体から前記接続設定データを読み取る読み取り部と、投写側通信部と、前記接続設定データに基づき、前記優先順位に応じた順序で前記投写側通信部に前記端末装置または前記端末装置の属するネットワークのアクセスポイントに対する接続処理を実行させる制御部と、を含むことを特徴とする。
【０００８】
また、本発明に係る投写システムは、上記端末装置と、上記プロジェクターと、を含むことを特徴とする。
【０００９】
また、本発明に係る情報記憶媒体は、少なくとも１つの接続設定の内容と、当該接続設定の優先順位とを示す接続設定データが記憶される媒体側記憶部と、端末装置に記憶された前記接続設定データを前記媒体側記憶部に書き込むとともに、プロジェクターに前記接続設定データを読み出すインターフェイス部と、を含むことを特徴とする。
【００１０】
また、本発明に係る接続設定方法は、端末装置がプロジェクターに接続するための接続設定方法において、前記端末装置は、少なくとも１つの接続設定の内容と、当該接続設定の優先順位とを示す接続設定データの全部または一部を情報記憶媒体に書き込むステップを実行し、前記プロジェクターは、前記情報記憶媒体に記憶された前記接続設定データの全部または一部を読み取るステップと、前記優先順位に応じた順序で前記端末装置または前記端末装置の属するネットワークのアクセスポイントに接続するステップと、接続可能なことを示す通知情報を前記端末装置へ向け送信するステップと、を実行し、前記端末装置は、前記通知情報に基づき、前記プロジェクターとの接続を確立するステップを実行することを特徴とする。
【００１１】
本発明によれば、端末装置は、自分の接続設定を優先順位付きで情報記憶媒体に書き込んでプロジェクターに読み取らせて通知させることにより、より柔軟かつ確実にプロジェクターに接続することができる。
【００１２】
また、前記端末装置は、前記優先順位を示す優先順位情報を入力する入力部と、前記優先順位情報に基づき、前記接続設定データにおける前記優先順位を更新する更新部と、を含んでもよい。
【００１３】
これによれば、端末装置は、例えば、ユーザーによる優先順位の指定を接続設定データに反映することができるため、より柔軟にプロジェクターに接続することができる。
【００１４】
また、前記端末装置は、前記接続設定データに基づき、前記接続設定データにおける接続設定ごとの優先順位を示す画像を表示する表示部を含んでもよい。
【００１５】
これによれば、端末装置は、ユーザーに現在の接続設定ごとの優先順位を確認させることができる。
【００１６】
また、前記端末側通信部は、前記プロジェクターから接続可能なことを示す通知情報を受信した場合に、前記プロジェクターとの接続を確立してもよい。
【００１７】
これによれば、端末装置は、プロジェクターから接続可能なことを示す通知情報を受信した場合に、プロジェクターとの接続を確立することにより、より確実にプロジェクターと接続することができる。
【００１８】
また、前記制御部は、接続可能なことを示す通知情報を前記投写側通信部に前記端末装置へ向け送信させてもよい。
【００１９】
これによれば、プロジェクターは、接続可能なことを端末装置に通知することにより、より確実に端末装置をプロジェクターに接続させることができる。
【発明を実施するための最良の形態】
【００２０】
以下、本発明をＰＣとプロジェクターを含む投写システムに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２１】
（第１の実施例）
図１は、第１の実施例におけるネットワーク接続状態の一例を示す図である。初期状態では、ＰＣ２００は、無線ＬＡＮ３１０−１〜３１０−３と接続可能な状態であり、プロジェクター１００は、有線ＬＡＮ３００と接続しているものとする。
【００２２】
ＰＣ２００は、無線ＬＡＮ３１０と接続するための接続設定データを記憶しており、当該接続設定データをＵＳＢメモリーに書き込む。プロジェクター１００は、当該ＵＳＢメモリーから当該接続設定データを読み取って優先順位に応じて無線ＬＡＮ３１０に接続する。ＰＣ２００は、無線ＬＡＮ３１０にプロジェクター１００が接続した状態で画像情報をプロジェクター１００へ向け送信し、プロジェクター１００は、当該画像情報に基づいて画像を投写する。このように、プロジェクター１００およびＰＣ２００は投写システムとして機能する。
【００２３】
図２は、第１の実施例におけるプロジェクター１００の機能ブロック図である。プロジェクター１００は、少なくとも１つの接続設定の内容と、当該接続設定の優先順位とを示す接続設定データ１５２等を記憶する投写側記憶部１５０と、接続設定データ１５２をＵＳＢメモリーから読み取る読み取り部として機能するインターフェイス部１１０と、ＰＣから画像情報を受信するとともに、通知情報を送信する投写側通信部１３０と、接続設定データ１５２に基づき、優先順位に応じた順序で投写側通信部１３０に接続を確立させる制御部１７０と、画像情報等に基づいて画像を投写する投写部１６０を含んで構成されている。
【００２４】
なお、接続設定は、ＰＣ２００に接続するための設定およびＰＣ２００の属するネットワークのアクセスポイントに接続するための設定の少なくとも一方を含む。
【００２５】
図３は、第１の実施例におけるＵＳＢメモリー４００の機能ブロック図である。情報記憶媒体の一種であるＵＳＢメモリー４００は、プロジェクター１００およびＰＣ２００との情報の入出力を行うインターフェイス部４１０と、接続設定データ４５２を記憶する媒体側記憶部４５０を含んで構成されている。
【００２６】
図４は、第１の実施例におけるＰＣ２００の機能ブロック図である。端末装置の一種であるＰＣ２００は、ＵＳＢメモリー４００に接続設定データ４５２を書き込む書込部として機能するインターフェイス部２１０と、画像情報を生成する画像情報生成部２６０と、プロジェクター１００へ向け画像情報を送信するとともに、通知情報を受信する端末側通信部２２０と、接続設定データ２５２、画像データ２５４等を記憶する端末側記憶部２５０と、画像を表示する表示部２９０と、ユーザーの操作情報等を入力する入力部２７０と、接続設定データ２５２等を更新する更新部２８０を含んで構成されている。
【００２７】
なお、これらの各部の機能は、例えば、以下のハードウェアを用いてプロジェクター１００およびＰＣ２００に実装されてもよい。例えば、インターフェイス部１１０、２１０はＵＳＢインターフェイス、ＣＰＵ等、入力部２７０は操作ボタン、リモコン（リモートコントローラー）等、投写側通信部１３０、端末側通信部２２０は有線ＬＡＮユニット、無線ＬＡＮユニット等、制御部１７０、画像情報生成部２６０、更新部２８０はＣＰＵ等、投写側記憶部１５０、端末側記憶部２５０は不揮発性メモリー等、投写部１６０は画像処理回路、ランプ、液晶パネル、レンズ等、表示部２９０は画像処理回路、液晶ディスプレイ等であってもよい。
【００２８】
次に、処理手順について説明する。図５は、第１の実施例におけるＰＣ２００での処理手順を示すフローチャートである。また、図６は、第１の実施例におけるプロジェクター１００での処理手順を示すフローチャートである。
【００２９】
ＰＣ２００のインターフェイス部２１０は、入力部２７０が書込指示情報を入力したかどうかを判定する（ステップＳ１）。例えば、ユーザーがＵＳＢメモリー４００をＰＣ２００に挿入し、ＰＣ２００の書込指示ボタンを押した場合、入力部２７０は書込指示情報を入力する。
【００３０】
入力部２７０が書込指示情報を入力した場合、インターフェイス部２１０は、接続設定データ２５２をＵＳＢメモリー４００に書き込む（ステップＳ２）。なお、書込対象は、接続設定データ２５２の全部であってもよいし、一部（例えば、優先順位の上位３つの接続設定等）であってもよい。
【００３１】
プロジェクター１００のインターフェイス部１１０は、ＵＳＢメモリー４００がプロジェクター１００に挿入されたかどうかを判定する（ステップＰ１）。ユーザーは、接続設定データ２５２をＵＳＢメモリー４００に書き込んだ後、ＵＳＢメモリー４００をＰＣ２００から取り外してプロジェクター１００に挿入する。ＵＳＢメモリー４００がプロジェクター１００に挿入された場合、インターフェイス部１１０は、ＵＳＢメモリー４００に記憶された接続設定データ４５２を読み取り、接続設定データ１５２として投写側記憶部１５０に記憶する（ステップＰ２）。
【００３２】
制御部１７０は、接続設定データ１５２で示される優先順位に応じた順序で投写側通信部１３０に無線ＬＡＮ３１０−１〜３１０−３の各アクセスポイントに対する接続処理を実行させる（ステップＰ３）。例えば、優先順位の第１位が無線ＬＡＮ３１０−３、第２位が無線ＬＡＮ３１０−１、第３位が無線ＬＡＮ３１０−２である場合、投写側通信部１３０は、無線ＬＡＮ３１０−３、無線ＬＡＮ３１０−１、無線ＬＡＮ３１０−２の順序で各無線ＬＡＮ３１０のアクセスポイントに対する接続処理を実行する。
【００３３】
制御部１７０は、いずれかの無線ＬＡＮ３１０のアクセスポイントと接続可能かどうかを判定する（ステップＰ４）。例えば、無線ＬＡＮ３１０−３のアクセスポイントに対する接続処理に失敗し、無線ＬＡＮ３１０−１のアクセスポイントに対する接続処理に成功した場合、制御部１７０は投写側通信部１３０に無線ＬＡＮ３１０−１を使用させる。
【００３４】
いずれかの無線ＬＡＮ３１０のアクセスポイントに接続可能な場合、制御部１７０は、投写側通信部１３０に、接続可能な状態であることまたは当該無線ＬＡＮ３１０経由で接続可能なことを通知する通知情報をＰＣ２００へ向け送信させる（ステップＰ５）。なお、接続設定データ４５２は、ＰＣ２００のＩＰアドレス等の宛先情報を含み、投写側通信部１３０は、当該宛先情報に基づいて通知情報の送信先を決定してもよい。
【００３５】
端末側通信部２２０は、プロジェクター１００から通知情報を受信したかどうかを判定する（ステップＳ３）。通知情報を受信した場合、端末側通信部２２０は、プロジェクター１００との接続を確立する（ステップＳ４）。また、端末側通信部２２０が通知情報を受信した場合、画像情報生成部２６０は、例えば、ＲＧＢ信号等の画像情報を生成し、端末側通信部２２０は、接続処理が成功した無線ＬＡＮ３１０を介してプロジェクター１００へ向け画像情報を送信する（ステップＳ５）。
【００３６】
投写部１６０は、投写側通信部１３０がＰＣ２００からの画像情報を受信したかどうかを判定する（ステップＰ６）。投写側通信部１３０が画像情報を受信した場合、投写部１６０は、当該画像情報に基づいて画像を生成して投写する（ステップＰ７）。
【００３７】
以上のように、本実施例によれば、ＰＣ２００は、自分の接続設定を優先順位付きでＵＳＢメモリー４００に書き込んでプロジェクター１００に読み取らせることにより、より柔軟かつ確実にＰＣ２００をプロジェクター１００に接続させることができる。
【００３８】
また、本実施例によれば、プロジェクター１００の接続設定とは関係なく、ＰＣ２００の接続設定での優先順位に応じてプロジェクター１００をＰＣ２００に接続させることができるため、より確実にＰＣ２００をプロジェクター１００に接続させることができる。
【００３９】
また、本実施例によれば、ＰＣ２００は、通知情報を送受信することにより、より確実にＰＣ２００をプロジェクター１００に接続させることができる。また、本実施例によれば、プロジェクター１００は、特別な接続設定を行うことなく、ＰＣ２００と接続して当該ＰＣ２００からの画像情報に基づく画像を投写することができる。
【００４０】
（第２の実施例）
ＰＣ２００は、接続設定データ２５２をユーザーの操作に応じて更新してもよい。図７は、第２の実施例におけるＰＣ２００での処理手順を示すフローチャートである。
【００４１】
画像情報生成部２６０は、入力部２７０が確認指示情報を入力したかどうかを判定する（ステップＳ１１）。例えば、ユーザーがＰＣ２００の確認指示ボタンを押した場合、入力部２７０は確認指示情報を入力する。
【００４２】
入力部２７０が確認指示情報を入力した場合、画像情報生成部２６０は、接続設定データ２５２、画像データ２５４等に基づき、画像情報を生成し、表示部２９０は、当該画像情報に基づき、確認画像を表示する（ステップＳ１２）。
【００４３】
図８は、第２の実施例における確認画像５００の一例を示す図である。確認画像５００は、接続設定ごとの優先順位、設定名、ＥＳＳＩＤ(Extended Service Set Identifier)、電波強度、暗号方式等を示す。なお、電波強度以外の項目は接続設定データ２５２として記憶されている。端末側通信部２２０は、確認指示時等に電波強度を測定し、画像情報生成部２６０は、当該測定値に基づいて確認画像５００用の画像情報を生成してもよい。
【００４４】
ユーザーは、確認画像５００が表示された状態で、リモコンのエンターキーを押して更新対象の接続設定を選択し、リモコンの上矢印キーで当該接続設定の優先順位を上げ、リモコンの下矢印キーで当該接続設定の優先順位を下げることができる。入力部２７０は、これらの操作情報を優先順位情報として入力する。
【００４５】
更新部２８０は、入力部２７０が優先順位情報を入力したかどうかを判定する（ステップＳ１３）。入力部２７０が優先順位情報を入力した場合、更新部２８０は、当該優先順位情報に応じて接続設定データ２５２を更新する（ステップＳ１４）。例えば、図８に示す確認画像５００が表示された状態で、ユーザーが優先順位が２番目の接続設定の優先順位を上げる操作を行った場合、更新部２８０は、接続設定データ２５２において、優先順位が２番目の接続設定の優先順位を１番目に更新し、元の優先順位が１番目の接続設定の優先順位を２番目に更新する。
【００４６】
以上のように、本実施例によれば、ＰＣ２００は、ユーザーによる優先順位の指定を接続設定データ２５２に反映することができるため、より柔軟かつ確実にプロジェクター１００に接続することができる。
【００４７】
また、本実施例によれば、ＰＣ２００は、確認画像５００を表示することにより、ユーザーに現在の接続設定ごとの優先順位を確認させることができる。
【００４８】
（その他の実施例）
なお、本発明の適用は上述した実施例に限定されず、種々の変形が可能である。例えば、接続設定データ２５２における接続設定は、無線ＬＡＮ３１０のみには限定されず、有線ＬＡＮや、ＬＡＮ以外のネットワーク設定を含んでもよい。また、プロジェクター１００とＰＣ２００が接続する手法は、無線ＬＡＮ３１０のアクセスポイントを介して接続する手法であってもよいし、プロジェクター１００とＰＣ２００が直接接続する手法であってもよい。
【００４９】
また、プロジェクター１００がＰＣ２００から受信する情報は、画像情報には限定されず、例えば、音声を示す音声情報、制御情報等であってもよい。また、入力部２７０に入力される優先順位情報は、ユーザーによる操作情報には限定されず、例えば、サーバーから送信される優先順位情報等であってもよい。
【００５０】
また、プロジェクター１００は、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。
【００５１】
また、端末装置は、ＰＣ２００には限定されず、例えば、携帯電話、ＰＤＡ等であってもよい。また、情報記憶媒体は、ＵＳＢメモリー４００には限定されず、例えば、メモリーカード、ＤＶＤ等の読み書き可能なディスク等であってもよい。
【図面の簡単な説明】
【００５２】
【図１】第１の実施例におけるネットワーク接続状態の一例を示す図である。
【図２】第１の実施例におけるプロジェクターの機能ブロック図である。
【図３】第１の実施例におけるＵＳＢメモリーの機能ブロック図である。
【図４】第１の実施例におけるＰＣの機能ブロック図である。
【図５】第１の実施例におけるＰＣでの処理手順を示すフローチャートである。
【図６】第１の実施例におけるプロジェクターでの処理手順を示すフローチャートである。
【図７】第２の実施例におけるＰＣでの処理手順を示すフローチャートである。
【図８】第２の実施例における確認画像の一例を示す図である。
【符号の説明】
【００５３】
１００  プロジェクター、１１０  インターフェイス部（読み取り部）、１３０  投写側通信部、１５０  投写側記憶部、１５２、２５２、４５２  接続設定データ、１６０  投写部、１７０  制御部、２００  ＰＣ（端末装置）、２１０  インターフェイス部（書込部）、２２０  端末側通信部、２５０  端末側記憶部、２５４  画像データ、２６０  画像情報生成部、２７０  入力部、２８０  更新部、２９０  表示部、３００  有線ＬＡＮ、３１０  無線ＬＡＮ、４００  ＵＳＢメモリー（情報記憶媒体）、４１０  インターフェイス部、４５０  媒体側記憶部、５００  確認画像
【図１】
2010108229.tif 000003
【図２】
2010108229.tif 000004
【図３】
2010108229.tif 000005
【図４】
2010108229.tif 000006
【図５】
2010108229.tif 000007
【図６】
2010108229.tif 000008
【図７】
2010108229.tif 000009
【図８】
2010108229.tif 000010